(57)【特許請求の範囲】
【請求項１】
中空状のカバーの内部を列状に並べた複数のコイル室で区画し、各コイル室に上下に変形するコイルを収容した列状のポケットコイルを、コイルが並ぶ方向とは直交する方向に並べて連結した面状のポケットコイルであって、
隣り合う列状のポケットコイルのカバー同士をコイルの側方で下端から上下一直線状に連結されている連結部とカバーの上端部において連結されていない分離部とを形成し、
連結部の長さがコイルを最も縮めたときのコイルの高さよりも短くしたことを特徴とするポケットコイル。
【請求項２】
中空状のカバーの内部を列状に並べた複数のコイル室で区画し、各コイル室に上下に変形するコイルを収容した列状のポケットコイルを、コイルが並ぶ方向とは直交する方向に並べて連結した面状のポケットコイルの製造方法であって、
列状のポケットコイルを形成し、複数の列状のポケットコイルをコイルが並ぶ方向とは直交する方向に並べ、その後、隣り合う列状のポケットコイルのカバー同士をコイルの側方で下端から上下一直線状に連結されている連結部とカバーの上端部において連結されていない分離部とを形成し、連結部の長さがコイルを最も縮めたときのコイルの高さよりも短くして面状のポケットコイルを製造することを特徴とするポケットコイルの製造方法。
【発明の詳細な説明】
【技術分野】
【０００１】
本発明は、中空状のカバーの内部を列状に並べた複数のコイル室で区画し、各コイル室にコイルを収容した列状のポケットコイル及びポケットコイルの製造方法に関するものである。
【背景技術】
【０００２】
従来より、マットレス等のクッション材として袋状のポケット（コイル室）にコイルを収容したポケットコイルを列状に並べたものが利用されている。
【０００３】
この列状のポケットコイルは、中空状のカバーの内部を列状に並べた複数のコイル室で区画し、各コイル室にコイルを収容しており、列状に並ぶコイルが上端から下端までの全長にわたってカバーで連結された構造となっている。
【０００４】
マットレスなどにおいては、収容袋の内部に複数の列状のポケットコイルをコイルが並ぶ方向と直交する方向に向けて並べて収容されている（たとえば、特許文献１参照。）。
【先行技術文献】
【特許文献】
【０００５】
【特許文献１】特開２０１０−２５９７０１号公報
【発明の概要】
【発明が解決しようとする課題】
【０００６】
ところが、上記従来のマットレスなどにおいては、収容袋の内部に複数の列状のポケットコイルを並べた状態で収容しなければならず、収容作業中に列状のポケットコイルの転倒などが発生してしまい、作業に多大な労力や時間を要していた。
【０００７】
また、複数の列状のポケットコイル同士を予め接着しておくことも考えられるが、接着剤の使用により使用者に不快感を与えるばかりでなく、長期間の使用によって接着剤が劣化して列状のポケットコイルが分離してしまうおそれがあった。
【課題を解決するための手段】
【０００８】
そこで、請求項１に係る本発明では、中空状のカバーの内部を列状に並べた複数のコイル室で区画し、各コイル室に上下に変形するコイルを収容した列状のポケットコイルを、コイルが並ぶ方向とは直交する方向に並べて連結した面状のポケットコイルにおいて、隣り合う列状のポケットコイルのカバー同士をコイルの側方で下端から上下一直線状に連結されている連結部とカバーの上端部において連結されていない分離部とを形成し、連結部の長さがコイルを最も縮めたときのコイルの高さよりも短くすることにした。
【０００９】
また、請求項２に係る本発明では、中空状のカバーの内部を列状に並べた複数のコイル室で区画し、各コイル室に上下に変形するコイルを収容した列状のポケットコイルを、コイルが並ぶ方向とは直交する方向に並べて連結した面状のポケットコイルの製造方法において、列状のポケットコイルを形成し、複数の列状のポケットコイルをコイルが並ぶ方向とは直交する方向に並べ、その後、隣り合う列状のポケットコイルのカバー同士をコイルの側方で下端から上下一直線状に連結されている連結部とカバーの上端部において連結されていない分離部とを形成し、連結部の長さがコイルを最も縮めたときのコイルの高さよりも短くして面状のポケットコイルを製造することにした。
【発明の効果】
【００１０】
そして、本発明では、以下に記載する効果を奏する。
【００１１】
すなわち、本発明では、中空状のカバーの内部を列状に並べた複数のコイル室で区画し、各コイル室にコイルを収容した列状のポケットコイルを、コイルが並ぶ方向とは直交する方向に並べて連結した面状のポケットコイルにおいて、隣り合う列状のポケットコイルのカバー同士をコイルの側方で溶着することにしているために、マットレス等のクッション材として用いても、その製造作業に要する労力や時間を軽減することができるとともに、接着剤の不使用により使用者に不快感を与えることなく長期間にわたって良好に使用してもらうことができる。
【図面の簡単な説明】
【００１２】
【図１】マットレスを示す一部切欠平面図（ａ）、同一部切欠側面図（ｂ）。
【図２】列状のポケットコイルを示す一部切欠平面図（ａ）、同一部切欠正面図（ｂ）。
【図３】列状のポケットコイルの変形状態を示す説明図。
【図４】面状のポケットコイルを示す一部切欠平面図。
【図５】同一部切欠側面図。
【発明を実施するための形態】
【００１３】
以下に、本発明に係るポケットコイルの具体的な構成について図面を参照しながら説明する。なお、以下の説明では、本発明に係るポケットコイルをマットレスに適用した場合について説明する。
【００１４】
図１に示すように、マットレス１は、中空状の収容袋２の内部に左右方向へ向けて一列に伸延する列状のポケットコイル３を前後方向に並べて収容している。このマットレス１では、前後方向に並ぶ複数の列状のポケットコイル３を連結することで、前後方向及び左右方向へ水平に広がる面状のポケットコイル４を形成している。
【００１５】
列状のポケットコイル３は、左右方向に伸延する中空状のカバー５の内部に複数個のコイル６を左右に等しい間隔をあけて並べて収容している。
【００１６】
カバー５は、不織布等の可撓性を有する２枚の前後側シート7,8からなり、前後側シート7,8を重ねた状態で上下左右の縁部を連結するとともに、左右方向に等しい間隔をあけて上端から下端までを上下一直線状に連結し、その上下一直線状に連結した部分に上端から所定の長さで切欠して形成している。なお、前後側シート7,8の連結は、縫合や接着や溶剤による溶着などでもよいが、ここでは、熱による可溶性を有する不織布同士を溶着することにしている。
【００１７】
このように、カバー５は、左右方向に等しい間隔をあけて上下一直線状に連結することで、カバー５の内部を列状に並べた複数のコイル室９で区画している。
【００１８】
また、カバー５は、上下一直線状に連結した部分に上端から所定の長さで切欠することで、隣り合うコイル室9,9同士が連結されている連結部10と、隣り合うコイル室9,9の上端部同士が連結されずに分離されている分離部11とを形成している。なお、分離部11は、カバー５の上端部にだけ形成しているが、カバー５の下端部にも形成することができる。
【００１９】
コイル６は、カバー５に形成された各コイル室９に変形方向（撓み方向）を上下にした状態で１個ずつ収容している。そのため、各コイル室９は、何ら力が作用していない状態のコイル６と略同一の空間としている。なお、各コイル室９の大きさを変えて異なるサイズのコイル６を収容してもよく、各コイル室９に複数個のコイル６を上下に並べて収容してもよく、各コイル室９を上下に複数に分割して複数個のコイル６を収容してもよい。
【００２０】
この列状のポケットコイル３は、分離部11の長さによって作用する押圧力に対する変形範囲を変えることができる。
【００２１】
図３（ａ）に示すように、分離部11が無い場合、すなわち、従来の列状のポケットコイル12の場合には、中央部のコイル13に下向きの押圧力Ｆが作用すると、コイル13の上部のカバー14もコイル13の変形（収縮）に伴って下方に向けて変形する。このカバー14の下方への変形によって、周囲のコイル13にも下向きの力が作用し、周囲のコイル13も変形（収縮）する。これにより、カバー14に分離部11が設けられていない従来の列状のポケットコイル12では、中央部のコイル13だけでなくその周囲において広い範囲にわたって変形が生じてしまい、変形範囲A1が広くなる。
【００２２】
これに対して、図３（ｂ）に示すように、分離部11を設けた列状のポケットコイル３の場合、ここでは、連結部10の長さがコイル６を最も縮めた長さ（図３（ｂ）中で中央部のコイル６の高さ）よりも長くした場合には、上記同様、中央部のコイル６に下向きの押圧力Ｆが作用すると、コイル６の上部のカバー５もコイル６の変形（収縮）に伴って下方に向けて変形する。しかし、カバー５に分離部11が設けられているために、カバー5の下方への変形が分離部11の長さまでは周囲のカバー５は変形せず、カバー５の下方への変形が分離部11の長さを超えた長さで周囲のカバー５が下方に変形することになる。そして、下方へ向けて変形したカバー５によって周囲のコイル６が変形（収縮）する。したがって、分離部11の長さだけ周囲のカバー５の下方への変形が緩和され、周囲のカバー５の下方への変形が短縮され、それに応じて周囲のコイル６の変形（収縮）も短縮される。これにより、連結部10の長さがコイル６を最も縮めた長さよりも長くなるように分離部11を形成した列状のポケットコイル３では、中央部のコイル６の周囲の狭い範囲で変形が生じることになり、変形範囲A2を狭くすることができる。
【００２３】
さらに、図３（ｃ）に示すように、連結部10の長さがコイル６を最も縮めた長さ（図３（ｃ）中で中央部のコイル６の高さ）よりも短くなるように分離部11を設けた列状のポケットコイル３の場合、上記同様、中央部のコイル６に下向きの押圧力Ｆが作用すると、コイル６の上部のカバー５もコイル６の変形（収縮）に伴って下方に向けて変形する。しかし、カバー５に長い分離部11が設けられているために、中央部のカバー5は下方に変形するが周囲のカバー５は変形しないことになる。そのため、周囲のコイル６は変形（収縮）しない。したがって、分離部11によって周囲のカバー５の下方への変形が完全に抑制され、周囲のカバー５の下方への変形を無くすことができ、それに応じて周囲のコイル６の変形（収縮）も無くすことができる。これにより、連結部10の長さがコイル６を最も縮めた長さよりも短くなるように分離部11を形成した列状のポケットコイル３では、中央部のコイル６だけで変形が生じることになり、変形範囲A3を最も狭くすることができる。
【００２４】
このように、列状のポケットコイル３では、分離部11の長さを長く（連結部10の長さを短く）するほど変形範囲A2を狭くすることができ、連結部10の長さがコイル６を最も縮めた長さよりも短くなるように分離部11を形成することで、変形範囲A3を最も狭くすることができるので、所望する変形範囲A2,A3に応じて分離部11の長さを適宜調節することが可能となる。したがって、列状のポケットコイル３を用いたマットレス１では、列状のポケットコイル３の変形範囲A2,A3を適宜選択することで、使用者の好み等に応じたマットレス１とすることができる。
【００２５】
この列状のポケットコイル３は、単体で棒状のクッション材として使用することもできるが、ここでは、コイル６が並ぶ方向（列状のポケットコイル３の伸延方向（左右方向））とは直交する方向（前後方向）に並べて面状のクッション材としてマットレス１に使用している。なお、ここでは、列状のポケットコイル３のコイル６同士を接触させて平行に配列しているが、左右に交互にずらして配列してもよい。
【００２６】
しかも、上記マットレス１では、図４及び図５に示すように、前後方向に並べた列状のポケットコイル３同士を連結して面状のポケットコイル４を形成している。
【００２７】
この面状のポケットコイル４は、まず、列状のポケットコイル３を複数形成しておき、複数の列状のポケットコイル３をコイル６が並ぶ方向とは直交する方向に密着させて並べ、その後、隣り合う列状のポケットコイル３のカバー５の側部同士をコイル６の側方で溶着することで容易に製造することができる。なお、列状のポケットコイル３のカバー５同士の連結は、縫合や接着や溶剤による溶着などでもよいが、ここでは、熱による可溶性を有する不織布同士を溶着することにしている。
【００２８】
ここで、面状のポケットコイル４は、列状のポケットコイル３のカバー５の側部同士を上端から下端まで上下一直線状に連結してもよいが、列状のポケットコイル３の場合と同様に、列状のポケットコイル３同士を上下一直線状に連結されている連結部15と、列状のポケットコイル３同士が連結されておらず分離されている分離部16とを形成してもよい（図５参照。）。この場合も、列状のポケットコイル３と同様に、分離部16を列状のポケットコイル３のカバー５の上端部にだけに形成してもよく、また、カバー５の下端部にも形成することができる。
【００２９】
そして、面状のポケットコイル４においても、列状のポケットコイル３と同様に、分離部16の長さを長く（連結部15の長さを短く）するほど変形範囲を狭くすることができ、連結部15の長さがコイル６を最も縮めた長さよりも短くなるように分離部16を形成することで、変形範囲を最も狭くすることができるので、所望する変形範囲に応じて分離部16の長さを適宜調節することが可能となる。したがって、面状のポケットコイル４を用いたマットレス１では、面状のポケットコイル４の変形範囲を適宜選択することで、使用者の好み等に応じたマットレス１とすることができる。
【００３０】
以上に説明したように、上記列状のポケットコイル３では、カバー５に、隣り合うコイル室9,9同士が連結された連結部10と、隣り合うコイル室9,9の上端部同士が分離された分離部11とを形成した構成となっている。
【００３１】
そのため、上記構成の列状のポケットコイル３では、分離部11によってコイル６の変形に伴うカバー５の変形が緩和され、カバー５の変形範囲A2,A3を狭くすることができる。これにより、列状のポケットコイル３をマットレス１等のクッション材として用いると、使用者の身体にフィットさせることができ、使用感を向上させることができる。特に、連結部10の長さをコイル６を最も縮めた長さよりも短くした場合には、コイル６の変形に伴って周囲のカバー５が変形してしまうのを抑制することができる。これにより、列状のポケットコイル３をマットレス１等のクッション材として用いると、使用者の身体に良好にフィットさせることができ、使用感を使用者の好みに適合させることができる。
【００３２】
また、上記面状のポケットコイル４では、隣り合う列状のポケットコイル３のカバー5,5同士をコイル６の側方で溶着した構成となっている。
【００３３】
そのため、上記構成の面状のポケットコイル４では、マットレス１等のクッション材として用いても、その製造作業に要する労力や時間を軽減することができるとともに、接着剤の不使用により使用者に不快感を与えることなく長期間にわたって良好に使用してもらうことができる。
【符号の説明】
【００３４】
１  マットレス                      ２  収容袋
３  列状のポケットコイル            ４  面状のポケットコイル
５  カバー                          ６  コイル
7,8  前後側シート                   ９  コイル室
10  連結部                          11  分離部
12  列状のポケットコイル            13  コイル
14  カバー                          15  連結部
16  分離部                          Ｆ  押圧力
A1〜A3  変形範囲
【図１】
0006490619.tif 000002
【図２】
0006490619.tif 000003
【図３】
0006490619.tif 000004
【図４】
0006490619.tif 000005
【図５】
0006490619.tif 000006